Podtech/llm-jp-corpus-v4-ja_patent huggingface dataset:
【手続補正書】
【提出日】平成19年2月23日(2007.2.23)
【手続補正１】
【補正対象書類名】明細書
【補正対象項目名】特許請求の範囲
【補正方法】変更
【補正の内容】
【特許請求の範囲】
【請求項１】  配列番号２記載の配列の位置220から749のアミノ酸配列を含みセルロースシンターゼ活性を有するポリペプチドをコードする単離されたポリヌクレオチド。
【請求項２】  ポリペプチドが配列番号２記載の配列を含む、請求項1記載のポリヌクレオチド。
【請求項３】  配列番号１記載の配列の位置660から2250のヌクレオチド配列を含む、請求項１記載のポリヌクレオチド。
【請求項４】  配列番号２記載の配列の位置220から749のアミノ酸配列を含みセルロースシンターゼ活性を有するポリペプチドをコードする外来性ポリヌクレオチドを含むトランスジェニック植物細胞。
【請求項５】  請求項４記載の植物細胞を含むトランスジェニック植物。
【請求項６】  樹木である、請求項５記載のトランスジェニック植物。
【請求項７】  配列番号２記載の配列の位置220から749のアミノ酸配列を含みセルロースシンターゼ活性を有するポリペプチドをコードする単離ポリヌクレオチドを含むベクターであって、前記ポリヌクレオチドが植物で機能するプロモーター配列と機能的に結合している、前記ベクター。
【請求項８】  請求項７記載のベクターを含むトランスジェニック植物。
【請求項９】  配列番号２記載の配列の位置220から749のアミノ酸配列を含みセルロースシンターゼ活性を有するポリペプチドをコードする外来性ポリヌクレオチドを植物細胞へ導入することを含む、トランスジェニック植物細胞の作成方法。
【請求項１０】  ポリヌクレオチドがプロモーターに機能的に結合している、請求項９記載の方法。
【請求項１１】  ポリヌクレオチドが配列番号１記載の配列の位置660から2250の配列を含む、請求項９記載の方法。
【請求項１２】  ポリヌクレオチドが配列番号１記載の配列の位置69から3005の配列を含む、請求項９記載の方法。
【請求項１３】  ポリヌクレオチドがアンチセンス方向に発現される、請求項１２記載の方法。
【請求項１４】  配列番号２記載の配列の位置220から749のアミノ酸配列を含みセルロースシンターゼ活性を有するポリペプチドをコードするポリヌクレオチドに機能的に結合したプロモーターを含むベクターを植物細胞へ導入することを含む、トランスジェニック植物細胞の作製方法。
【請求項１５】  ポリペプチドが配列番号２記載の配列を含む、請求項１４記載の方法。
【請求項１６】  ポリヌクオチドが配列番号１の位置660から2250のヌクレオチド配列を含む、請求項１４記載の方法。
【請求項１７】  ポリヌクオチドが配列番号１の位置69から3005のヌクレオチド配列を含む、請求項１４記載の方法。
【請求項１８】  ポリヌクレオチドが配列番号１記載の配列を含む、請求項１４記載の方法。
【請求項１９】  ポリヌクレオチドがアンチセンス方向に発現される、請求項１７記載の方法。
【請求項２０】  ポリヌクレオチドがアンチセンス方向に発現される、請求項１６記載の方法。
【請求項２１】  配列番号２記載の配列の位置220から749のアミノ酸配列を含みセルロースシンターゼ活性を有するポリペプチドをコードする外来性ポリヌクレオチドを植物に導入することを含む、トランスジェニック植物の作製方法。
【請求項２２】  請求項７記載のベクターを含むトランスジェニック植物。
【請求項２３】  樹木である、請求項２２記載のトランスジェニック植物。
【請求項２４】  配列番号２記載の配列の位置220から749のアミノ酸配列を含みUDP-グルコース結合活性を有するポリペプチドをコードする単離されたポリヌクレオチド。
【請求項２５】  ポリペプチドが配列番号２記載の配列を含む、請求項２４記載のポリヌクレオチド。
【請求項２６】  ポリヌクレオチドが配列番号１記載の配列の位置660から2250のヌクレオチド配列を含む、請求項２４記載のポリヌクレオチド。
【手続補正書】
【提出日】平成19年9月13日(2007.9.13)
【手続補正１】
【補正対象書類名】明細書
【補正対象項目名】特許請求の範囲
【補正方法】変更
【補正の内容】
【特許請求の範囲】
【請求項１】  内視鏡ハンドル及びハンドル内の撮像装置；
撮像装置に光学的に結合されている、映像を伝達する導波路；及び
環状照明チャンネルを包含するシースアセンブリー、ここで、シースアセンブリーはハンドルに着脱可能に取り付けられ、環状照明チャンネルは映像を伝達する導波路を囲んでおり、シースアセンブリーは２ｍｍ以下の直径を有する、
を含んで成る小型内視鏡。
【請求項２】  シースアセンブリーに取り付け可能なカニューレの提供を更に含んで成る請求項１の小型内視鏡
【請求項３】  シースアセンブリー上に嵌合するルエル（luer）の提供を更に含んで成り、ここで、シースアセンブリーは２ｃｍと１０ｃｍの間の長さを有する、請求項１の小型内視鏡。
【請求項４】  環状照明チャンネルが光吸収チャンネル壁を有し、映像を伝達する導波路がガラスロッドを含んで成る請求項１の小型内視鏡。
【請求項５】  導波路からの映像を撮像装置に結合させるためのリレー光学システムを含んで成る請求項１の小型内視鏡。
【請求項６】  ハンドルがディスプレーに接続し、照明チャンネルが光源に結合している請求項１の小型内視鏡。
【請求項７】  撮像装置が電荷結合装置を含み、キセノンランプのような外部光源が照明チャンネルと結合している請求項１の小型内視鏡。
【請求項８】  組織を貫く遠位針を更に含んで成る請求項１の小型内視鏡。
【請求項９】  内視鏡ハンドル及びハンドル内の撮像装置；
映像を伝達する導波路；
環状照明チャンネルを包含するシースアセンブリー
を提供する段階
及び
映像を伝達する導波路が撮像装置に光学的に結合し、環状照明チャンネルが映像を伝達する導波路を囲むように、シースアセンブリーをハンドルに取り付ける段階、ここで、シースアセンブリーが２ｍｍ以下の直径を有する、
を含んで成る小型内視鏡を提供する方法。
【請求項１０】  カニューレを提供する段階及びカニューレをシースアセンブリーに固定する段階を更に含んで成り、ここで、シースアセンブリーは２ｃｍと１０ｃｍの間の長さを有する、請求項９の方法。
【請求項１１】  シースアセンブリー上に嵌合したルエルを提供する段階を更に含んで成る請求項９の方法。
【請求項１２】  ハンドルをディスプレーに接続する段階を更に含んで成る請求項２２の方法。
【手続補正書】
【提出日】平成19年9月12日(2007.9.12)
【手続補正１】
【補正対象書類名】明細書
【補正対象項目名】特許請求の範囲
【補正方法】変更
【補正の内容】
【特許請求の範囲】
【請求項１】  慢性腎不全の哺乳動物または慢性腎不全の危険のある哺乳動物に対する処置のための組成物であって、治療有効量のインテグリンアンタゴニストを含む、組成物。
【請求項２】  前記インテグリンアンタゴニストが、α４サブユニット含有インテグリンとその同種のリガンドまたはレセプターとの間の相互作用を拮抗するポリペプチドを含む、請求項１に記載の組成物。
【請求項３】  前記インテグリンアンタゴニストが、抗ＶＬＡ−４抗体ホモログを含む、請求項２に記載の組成物。
【請求項４】  前記インテグリンアンタゴニストが、α１サブユニット含有インテグリンとその同種のリガンドまたはレセプターとの間の相互作用を拮抗するポリペプチドを含む、請求項１に記載の組成物。
【請求項５】  前記インテグリンアンタゴニストが、抗ＶＬＡ−１抗体ホモログを含む、請求項４に記載の組成物。
【請求項６】  前記インテグリンアンタゴニストが、インテグリンの、α４インテグリンサブユニット以外の少なくとも１つのさらなるα含有サブユニットとの間の相互作用を拮抗し得る、請求項２に記載の組成物。
【請求項７】  慢性腎不全の哺乳動物または慢性腎不全の危険のある哺乳動物に対する処置のための組成物であって、治療有効量の２つ以上のインテグリンアンタゴニストを含み、ここで、該アンタゴニストのうちの少なくとも２つが、第１のインテグリンアンタゴニストおよび第２のインテグリンアンタゴニストを含み、該第１のインテグリンアンタゴニストは、α４含有サブユニットとその同種のリガンドまたはレセプターとの間の相互作用を拮抗し、そして該第２のインテグリンアンタゴニストは、α４ではない別のα含有サブユニットとの間の相互作用を拮抗する、組成物。
【請求項８】  前記アンタゴニストが低分子である、請求項１または６に記載の組成物。
【請求項９】  前記哺乳動物が、慢性腎不全、末期腎臓病、慢性糖尿病性腎症、糖尿病性糸球体症、糖尿病性腎肥大、高血圧性腎硬化症、高血圧性糸球体硬化症、慢性糸球体腎炎、遺伝性腎炎、および腎臓形成異常症からなる群より選択される状態に罹患している、請求項１または７に記載の組成物。
【請求項１０】  前記抗体ホモログが、核酸配列によってその一部がコードされたヒト化抗体であり、該核酸配列は、高ストリンジェンシーな条件下で、米国特許第５，８４０，２９９号の表６の配列の群より選択される核酸配列または該核酸配列の相補体とハイブリダイズする核酸を含む、請求項２に記載の組成物。
【請求項１１】  前記抗体ホモログが、核酸配列によってその一部がコードされたヒト化抗体であり、該核酸配列が、低ストリンジェンシーな条件下で、米国特許第５，８４０，２９９号の表６の核酸配列の群より選択される核酸配列または該核酸配列の相補体とハイブリダイズする核酸を含む、請求項２に記載の組成物。
【請求項１２】  前記抗体ホモログが、核酸配列によってその一部がコードされたヒト化抗体であり、該核酸配列が、低ストリンジェンシーな条件下で、
ａ）米国特許第５，９３２，２１４号に見出される配列番号２；
ｂ）米国特許第５，９３２，２１４号に見出される配列番号４；および
ｃ）細胞株ＡＴＣＣ  ＣＲＬ  １１１７５により産生される抗体の可変ドメイン、
からなる群より選択されるポリペプチド配列をコードする核酸配列とハイブリダイズする核酸を含む、請求項２に記載の組成物。
【請求項１３】  前記抗体ホモログが、核酸配列によってその一部がコードされたヒト化抗体であり、該核酸配列が、高ストリンジェンシーな条件下で、
ａ）米国特許第５，９３２，２１４号に見出される配列番号２；
ｂ）米国特許第５，９３２，２１４号に見出される配列番号４；および
ｃ）細胞株ＡＴＣＣ  ＣＲＬ  １１１７５により産生される抗体の可変ドメイン、
からなる群より選択されるポリペプチド配列をコードする核酸配列とハイブリダイズする核酸を含む、請求項２に記載の組成物。
【請求項１４】  前記第１のインテグリンアンタゴニストが、核酸配列によってその一部がコードされたヒト化抗体であり、該核酸配列は、高ストリンジェンシーな条件下で、米国特許第５，８４０，２９９号の表６の配列の群より選択される核酸配列または該核酸配列の相補体とハイブリダイズする核酸を含む、請求項７に記載の組成物。
【請求項１５】  前記第１のインテグリンアンタゴニストが、核酸配列によってその一部がコードされたヒト化抗体であり、該核酸配列が、低ストリンジェンシーな条件下で、米国特許第５，８４０，２９９号の表６の核酸配列の群より選択される核酸配列または該核酸配列の相補体とハイブリダイズする核酸を含む、請求項７に記載の組成物。
【請求項１６】  前記第１のインテグリンアンタゴニストが、核酸配列によってその一部がコードされたヒト化抗体であり、該核酸配列が、低ストリンジェンシーな条件下で、
ａ）米国特許第５，９３２，２１４号に見出される配列番号２；
ｂ）米国特許第５，９３２，２１４号に見出される配列番号４；および
ｃ）細胞株ＡＴＣＣ  ＣＲＬ  １１１７５により産生される抗体の可変ドメイン、
からなる群より選択されるポリペプチド配列をコードする核酸配列とハイブリダイズする核酸を含む、請求項７に記載の組成物。
【請求項１７】  前記第１のインテグリンアンタゴニストが、核酸配列によってその一部がコードされたヒト化抗体であり、該核酸配列が、高ストリンジェンシーな条件下で、
ａ）米国特許第５，９３２，２１４号に見出される配列番号２；
ｂ）米国特許第５，９３２，２１４号に見出される配列番号４；および
ｃ）細胞株ＡＴＣＣ  ＣＲＬ  １１１７５により産生される抗体の可変ドメイン、
からなる群より選択されるポリペプチド配列をコードする核酸配列とハイブリダイズする核酸を含む、請求項７に記載の組成物。
【手続補正書】
【提出日】平成19年6月29日(2007.6.29)
【手続補正１】
【補正対象書類名】明細書
【補正対象項目名】特許請求の範囲
【補正方法】変更
【補正の内容】
【特許請求の範囲】
【請求項１】  １以上のアンドロゲンの過剰によって特徴付けられる状態または疾患を処置するための組成物であって、該組成物は、有効量のＭＩＳを含む、組成物。
【請求項２】  前記１以上のアンドロゲンが、テストステロンである、請求項１に記載の組成物。
【請求項３】  前記ＭＩＳが、約１４０ｋＤａまたは約７０ｋＤａの分子量を有する、請求項１に記載の組成物。
【請求項４】  前記ＭＩＳが、ＭＩＳのＣ末端フラグメントである、請求項１に記載の組成物。
【請求項５】  前記Ｃ末端フラグメントが、約２５ｋＤａまたは約１２．５ｋＤａの分子量を有する、請求項３に記載の組成物。
【請求項６】  前記状態または疾患が、多嚢胞性卵巣疾患および性的早熟からなる群より選択される、請求項１に記載の組成物。
【請求項７】  前記状態または疾患が、多嚢胞性卵巣疾患である、請求項６に記載の組成物。
【請求項８】  前記状態または疾患が、性的早熟である、請求項６に記載の組成物。
【請求項９】  １以上のアンドロゲンの過剰によって特徴付けられる状態または疾患を処置するための組成物であって、該組成物は、ＭＩＳをコードする有効量の核酸を含む、組成物。
【請求項１０】  前記１以上のアンドロゲンが、テストステロンである、請求項９に記載の組成物。
【請求項１１】  前記ＭＩＳが、約１４０ｋＤａまたは約７０ｋＤａの分子量を有する、請求項９に記載の組成物。
【請求項１２】  前記ＭＩＳが、ＭＩＳのＣ末端フラグメントである、請求項９に記載の組成物。
【請求項１３】  前記Ｃ末端フラグメントが、約２５ｋＤａまたは約１２．５ｋＤａの分子量を有する、請求項１２に記載の組成物。
【請求項１４】  前記状態または疾患が、多嚢胞性卵巣疾患および性的早熟からなる群より選択される、請求項９に記載の組成物。
【請求項１５】  前記状態または疾患が、多嚢胞性卵巣疾患である、請求項１４に記載の組成物。
【請求項１６】  前記状態または疾患が、性的早熟である、請求項１４に記載の組成物。
【請求項１７】  患者において、１以上のアンドロゲンの血漿レベルを低下させるための組成物であって、該組成物は、有効量のＭＩＳを含み、該量のＭＩＳは、該１以上のアンドロゲンの血漿レベルを、該１以上のアンドロゲンの正常レベル未満に低下させるに十分である、組成物。
【請求項１８】  前記１以上のアンドロゲンが、テストステロンである、請求項１７に記載の組成物。
【請求項１９】  前記ＭＩＳが、約１４０ｋＤａまたは約７０ｋＤａの分子量を有する、請求項１７に記載の組成物。
【請求項２０】  前記ＭＩＳが、ＭＩＳのＣ末端フラグメントである、請求項１７に記載の組成物。
【請求項２１】  前記Ｃ末端フラグメントが、約２５ｋＤａまたは約１２．５ｋＤａの分子量を有する、請求項２０に記載の組成物。
【請求項２２】  前記患者が、良性前立腺肥大を有し、そして前記ＭＩＳの投与の結果として、該肥大の程度が減少される、請求項１７に記載の組成物。
【請求項２３】  前記患者が、前立腺癌を有し、そして前記ＭＩＳの投与の結果として、該癌の進行が停止するかまたは遅くなる、請求項１７に記載の組成物。
【請求項２４】  患者において、１以上のアンドロゲンの血漿レベルを低下させるための組成物であって、該組成物は、ＭＩＳをコードする有効量の核酸を含み、該量のＭＩＳは、該１以上のアンドロゲンの血漿レベルを、該１以上のアンドロゲンの正常レベル未満に低下させるに十分である、組成物。
【請求項２５】  前記１以上のアンドロゲンが、テストステロンである、請求項２４に記載の組成物。
【請求項２６】  前記ＭＩＳが、約１４０ｋＤａまたは約７０ｋＤａの分子量を有する、請求項２４に記載の組成物。
【請求項２７】  前記ＭＩＳが、ＭＩＳのＣ末端フラグメントである、請求項２４に記載の組成物。
【請求項２８】  前記Ｃ末端フラグメントが、約２５ｋＤａまたは約１２．５ｋＤａの分子量を有する、請求項２７に記載の組成物。
【請求項２９】  前記患者が、良性前立腺肥大を有し、そして前記核酸の投与の結果として、該肥大の程度が減少される、請求項２４に記載の組成物。
【請求項３０】  前記患者が、前立腺癌を有し、そして前記核酸の投与の結果として、該癌の進行が停止するかまたは遅くなる、請求項２４に記載の組成物。
【手続補正書】
【提出日】平成19年9月12日(2007.9.12)
【手続補正１】
【補正対象書類名】明細書
【補正対象項目名】特許請求の範囲
【補正方法】変更
【補正の内容】
【特許請求の範囲】
【請求項１】  レボキセチンを長時間にわたって一様な速度で放出するのに適合した徐放性製剤。
【請求項２】  長時間が４時間以上である、請求項１の製剤。
【請求項３】  一様な速度が少なくとも約０．２ｍｇ／時である、請求項１の製剤。
【請求項４】  徐放性製剤が少なくとも約８時間のＴ90を有する、請求項１の製剤。
【請求項５】  レボキセチンの放出が、浸透法、拡散法、溶解法およびイオン交換法を包含する方法の群に関連した一つまたはそれ以上の方法を通して達成される、請求項４の製剤。
【請求項６】  徐放性製剤が、内部区画内に浸透圧剤と混合されたレボキセチン含有成分を含む浸透圧型組成物であり、前記内部区画は半透膜によって規定されておりレボキセチンは前記半透膜の中に形成された又は形成可能な送達口を通ってそこから繰り出される、請求項１の製剤。
【請求項７】  徐放性製剤が、半透膜によって規定された内部区画内にレボキセチン含有成分と膨潤可能ポリマー成分を含む浸透圧型組成物であり、レボキセチンは前記半透膜の中に形成された又は形成可能な送達口を通ってそこから繰り出される、請求項１の製剤。
【請求項８】  内部区画内のレボキセチン含有成分と膨潤可能ポリマー成分が隣り合う層として構成され、そして送達口がレボキセチン含有成分に隣接した位置に半透膜を貫通して形成される、請求項７の製剤。
【請求項９】  バリヤ層を含み、レボキセチン含有成分と膨潤可能ポリマー成分が内部区画内のバリヤ層によって分離され、そして送達口がレボキセチン含有コアに隣接した位置に半透膜を貫通して形成される、請求項７の製剤。
【請求項１０】  半透膜と、レボキセチン含有成分、バリヤ層および膨潤可能ポリマー成分との間に内壁を含み、送達口がレボキセチン含有コアに隣接した位置に半透膜と内壁を貫通して形成される、請求項９の製剤。
【請求項１１】  １日１回投与用である、請求項１の製剤。
【請求項１２】  レボキセチン用量を１日１回投与することによって、治療上有効な平均の定常状態血漿中レボキセチン濃度を生じる、請求項１１の製剤。
【請求項１３】  薬用量投与後少なくとも４時間の時点にピークの定常状態血漿中レボキセチン濃度を生じる、請求項１１の製剤。
【請求項１４】  各２４時間中に１回のピーク血漿中レボキセチン濃度を生じる、請求項１１の製剤。
【請求項１５】  約３０未満の定常状態Ｃmax／用量比を与える、請求項１１の製剤。
【請求項１６】  約２５未満の定常状態Ｃmax／用量比を与える、請求項１１の製剤。
【請求項１７】  レボキセチンと炭水化物を含む、長時間にわたる持続薬物送達に適合した製剤。
【請求項１８】  炭水化物が、マルトデキストリン、乳糖、ブドウ糖、白糖、マンニトール、およびソルビトールからなる群から選ばれる、請求項１７の製剤。
【請求項１９】  レボキセチンと、２０以下のデキストロース当量（ＤＥ）を有するマルトデキストリンを含む、請求項１８の製剤。
【請求項２０】  マルトデキストリンが９〜２０のデキストロース当量（ＤＥ）を有する、請求項１９の製剤。
【請求項２１】  ３５００ニュートン以上の力で圧縮された錠剤として成形された、請求項１７の製剤。
【請求項２２】  レボキセチンとマルトデキストリンを含む組成物。
【請求項２３】  ３５００ニュートン以上の力で圧縮組成物として成形された、請求項２２の組成物。
【請求項２４】  徐放性製剤が、内部区画内にレボキセチンを含む浸透圧剤を含み、前記内部区画は半透膜によって規定されており、レボキセチンは前記半透膜の中に形成された又は形成可能な送達口を通ってそこから繰り出される、抗うつ剤用徐放性製剤。
【手続補正２】
【補正対象書類名】明細書
【補正対象項目名】０１０３
【補正方法】変更
【補正の内容】
【０１０３】
各々の単回投与処置は７日間のウォッシュアウト（ｗａｓｈｏｕｔ）期間だけ追跡された。得られた血漿中レボキセチン濃度プロフィールは図６に示されている（白丸は速放性製剤であり、黒丸と星印はそれぞれ約９時間と約１８時間のＴ90値を有する徐放性製剤である）。Ｃmax（ｎｇ／ｍｌ）平均値は次の通りであった：速放性製剤については１１７．６９；約９時間のＴ90値を有する徐放性製剤については６８．３８；そして、約１８時間のＴ90値を有する徐放性製剤については４８．５２。速放性製剤の投与後のＴmax（ｈ）平均値は丁度２時間であったが、徐放性製剤の投与後のＴmax平均値はそれぞれ約９時間と約１８時間のＴ90値を有する徐放性製剤について１０．７時間と２３時間であった。
【手続補正３】
【補正対象書類名】明細書
【補正対象項目名】０１０５
【補正方法】変更
【補正の内容】
【０１０５】
シミュレートされた血漿中レボキセチン濃度プロフィールは図７にグラフで示されている（破線は速放性製剤についてであり、そして点線と実線はそれぞれ約９時間と約１８時間のＴ90値を有する徐放性製剤についてである）。４ｍｇのレボキセチンを含有する徐放性製剤の投与後のピーク血漿中レボキセチン濃度は２ｍｇのレボキセチンを含有する速放性製剤の投与後のピーク血漿中レボキセチン濃度よりも低いばかりでなく、徐放性製剤方式で４日間に出現するピーク血漿中レボキセチン濃度の数は速放性製剤方式で出現する数の半分である、すなわち、４対８であるということがわかる。
【手続補正書】
【提出日】平成19年4月6日(2007.4.6)
【手続補正１】
【補正対象書類名】明細書
【補正対象項目名】請求項６
【補正方法】変更
【補正の内容】
【請求項６】  前記（ａ）成分が約０．５〜５重量％の量で、および前記（ｂ）成分が１００重量％までの量で存在する請求項１記載の組成物。
【手続補正２】
【補正対象書類名】明細書
【補正対象項目名】請求項１２
【補正方法】変更
【補正の内容】
【請求項１２】  脂肪エステル対脂肪アルコールの比が約２：１〜約１．６：１である請求項９記載の組成物。
【誤訳訂正書】
【提出日】平成19年7月23日(2007.7.23)
【誤訳訂正１】
【訂正対象書類名】明細書
【訂正対象項目名】特許請求の範囲
【訂正方法】変更
【訂正の内容】
【特許請求の範囲】
【請求項１】  以下を含む１２００℃以上の最大使用温度を有する繊維：
ＳｉＯ２＞６４．２５重量％
ＣａＯ＞１８重量％
ＭｇＯ＜１７重量％
であって、モル％でのＭｇＯの量は、モル％でのＣａＯの量よりも多く、またＳｉＯ２過剰は２１．８モル％以下である当該繊維、
ここにＳｉＯ２過剰とは、すべてのＣａＯがＣａＯ・ＭｇＯ・２ＳｉＯ２として結合し、すべてのＺｒＯ２がＺｒＯ２・ＳｉＯ２として結合し、残りのＭｇＯがＭｇＯ・ＳｉＯ２として結合し、そして如何なるＡｌ２Ｏ３もＡｌ２Ｏ３・ＳｉＯ２として結晶化するものとして計算された残りのＳｉＯ２の量である。
【請求項２】  以下を含む請求項１記載の繊維：
ＣａＯ＜２１重量％。
【請求項３】  以下を含む請求項２記載の繊維：
ＣａＯ＜２０．５重量％。
【請求項４】  以下を含む請求項１乃至３のいずれか１項記載の繊維：
ＣａＯ＞１９重量％。
【請求項５】  以下を含む請求項４記載の繊維：
ＣａＯ＜１９．５重量％。
【請求項６】  以下を含む請求項１乃至４のいずれか１項記載の繊維：
ＭｇＯ＞１４．２５重量％。
【請求項７】  以下を含む請求項６項記載の繊維：
ＭｇＯ＞１４．７５重量％。
【請求項８】  以下を含む請求項７項記載の繊維：
ＭｇＯ＞１５．２５重量％。
【請求項９】  以下を含む請求項１乃至８のいずれか１項記載の繊維：
ＭｇＯ＜１６重量％。
【請求項１０】  以下を含む請求項１乃至９のいずれか１項記載の繊維：
ＳｉＯ２  ６５±０．５重量％
ＣａＯ    ２０±０．５重量％
ＭｇＯ    １５±０．５重量％。
【請求項１１】  以下を含む請求項１乃至９のいずれか１項記載の繊維：
ＳｉＯ２  ６４．５−６４．７重量％
ＣａＯ  １９．５−２０．２重量％
ＭｇＯ  １５．５−１５．６重量％。
【請求項１２】以下から成る請求項１乃至１１のいずれか１項記載の繊維：
ＣａＯ    １８．７から２０．２重量％
ＭｇＯ    １４．４７から１５．９重量％
ＳｉＯ２    ６４．５から６５．１重量％
Ａｌ２Ｏ３  ０から０．５６重量％
及び不可避的な混入不純物。
【誤訳訂正２】
【訂正対象書類名】明細書
【訂正対象項目名】０００５
【訂正方法】変更
【訂正の内容】
【０００５】
過剰ＳｉＯ２数値は、すべてのＣａＯがＣａＯ・ＭｇＯ・２ＳｉＯ２として結合し、すべてのＺｒＯ２がＺｒＯ２・ＳｉＯ２として結合し、残りのＭｇＯがＭｇＯ・ＳｉＯ２として結合しているものとして計算される。出願人はまた、如何なるＡｌ２Ｏ３もＡｌ２Ｏ３・ＳｉＯ２として結晶化すると仮定している。残りのＳｉＯ２を過剰ＳｉＯ２と称する。
本発明は、図面を参照しつつ以下の記述中の例示によって説明される。
【手続補正書】
【提出日】平成19年9月4日(2007.9.4)
【手続補正１】
【補正対象書類名】明細書
【補正対象項目名】特許請求の範囲
【補正方法】変更
【補正の内容】
【特許請求の範囲】
【請求項１】  液体コア物質を含むマイクロカプセルであって、この液体コア物質が一種以上の農薬を含み、実質的に水に不溶性であり、ジスルフィド結合を含有するポリマーレジンの固体透過性シェル内に封入されている、マイクロカプセル。
【請求項２】  農薬が少なくとも一種以上の殺虫剤である、請求項１に記載のマイクロカプセル。
【請求項３】  殺虫剤の少なくとも一種がピレトロイドである、請求項２に記載のマイクロカプセル。
【請求項４】  ピレトロイドがラムダシハロトリンである、請求項３に記載のマイクロカプセル。
【請求項５】  殺虫剤の少なくとも一種が有機リン殺虫剤である、請求項２に記載のマイクロカプセル。
【請求項６】  有機リン殺虫剤がクロルピリホスである、請求項５に記載のマイクロカプセル。
【請求項７】  農薬が少なくとも一種以上の除草剤である、請求項１に記載のマイクロカプセル。
【請求項８】  除草剤の少なくとも一種がブチレートである、請求項７に記載のマイクロカプセル。
【請求項９】  農薬が溶媒に溶解させた固体農薬である、請求項１〜８のいずれかに記載のマイクロカプセル。
【請求項１０】  液体コア物質が、この液体コア内にくまなく分散させた固体紫外線保護剤からさらに構成される、請求項１から９のいずれかに記載のマイクロカプセル。
【請求項１１】  封入物質が、ジスルフィド結合の開裂を誘導しない環境ではカプセル壁を透過して拡散することによって徐々に放出される、請求項１から１０のいずれかに記載のマイクロカプセル。
【請求項１２】  マイクロカプセルを取り巻く環境条件によりスルフィド結合が開裂して、迅速に封入物質を放出する、請求項１から１１のいずれかに記載のマイクロカプセル。
【請求項１３】  その壁の中にジスルフィド結合を有するマイクロカプセルの形成プロセスであって、
（ａ）一種以上の農薬と壁形成物質とを含む有機相を形成して壁形成物質を有機相へ溶解させる段階；
（ｂ）連続水相中に有機相のエマルションを作る段階、このエマルションは水相にくまなく分散された有機相の離散液滴を含む；次いで
（ｃ）壁を形成して、有機相の離散液滴をマイクロカプセルに転換させる段階
を含むプロセス。
【請求項１４】  壁形成物質が、少なくとも一種以上の架橋剤から構成される、請求項１３に記載のプロセス。
【請求項１５】  架橋剤の少なくとも一種がポリチオール化合物である、請求項１４に記載のプロセス。
【請求項１６】  ポリチオール化合物がチオール含有エステルである、請求項１５に記載のプロセス。
【請求項１７】  ポリチオール化合物がチオール含有アミドである、請求項１５に記載のプロセス。
【請求項１８】  壁形成物質がさらに、アルキル化アミノホルムアルデヒドプレポリマーから構成される、請求項１４に記載のプロセス。
【請求項１９】  アミノプレポリマーが尿素ホルムアルデヒドプレポリマーである、請求項１８に記載のプロセス。
【請求項２０】  アミノプレポリマーをポリチオール化合物で架橋することをさらに含む、請求項１８に記載のプロセス。
【請求項２１】  アミノプレポリマーとの架橋前に、ポリチオール化合物からジスルフィド結合を形成することをさらに含む、請求項２０に記載のプロセス。
【請求項２２】  ポリチオール化合物で架橋すると同時にジスルフィド結合を形成することをさらに含む、請求項２０に記載のプロセス。
【請求項２３】  水相がさらに、有機／水相界面に隣接する有機相中でチオールをカップリングしてジスルフィド結合を形成し得る少なくとも一種の酸化剤から構成される、請求項１３から２２のいずれかに記載のプロセス。
【請求項２４】  水相がさらに、有機相中でチオールをカップリングしてジスルフィド結合を形成し得る酸化剤の混合物から構成される、請求項２３に記載のプロセス。
【請求項２５】  酸化剤が、ヨウ素、塩化第二鉄、過酸化水素及び重クロム酸カリウムから選択される、請求項２３に記載のプロセス。
【請求項２６】  酸化剤を５℃〜７０℃の温度で添加する、請求項２３から２５のいずれかに記載のプロセス。
【請求項２７】  酸化剤を２０℃〜５０℃の温度で添加する、請求項２６に記載のプロセス。
【請求項２８】  酸性溶液中で酸化を実施することをさらに含む、請求項２３から２７のいずれかに記載のプロセス。
【請求項２９】  中性以上のｐＨの溶液中で酸化を実施することをさらに含む、請求項２３から２７のいずれかに記載のプロセス。
【請求項３０】  水相が保護コロイドから構成される、請求項１３から２９のいずれかに記載のプロセス。
【請求項３１】  水相はさらに、チオエーテル結合の形成を促進し得る触媒から構成される、請求項２０に記載のプロセス。
【請求項３２】  多官能性アルコールとチオール含有カルボン酸誘導体とを反応させて、チオール含有エステルを得ることによって壁形成物質を予備調製することをさらに含む請求項１３、１４、１８、１９及び２３から３０のいずれかに記載のプロセスであって、反応が、式：
【化１】
2003509387.tif 000001
［式中、Ｒ’はＨまたはアルキル若しくはアリールであり、Ｚはヒドロカルビルまたはアリール−ヒドロカルビルであり、Ｙは２個以上のヒドロキシル基を含有するヒドロカルビル単位である］である、プロセス。
【請求項３３】  多官能性アミン分子とチオール含有カルボン酸誘導体とを反応させて、チオール含有アミドを得ることによって壁形成物質を予備調製することをさらに含む請求項１３、１４、１８、１９及び２３から３０のいずれかに記載のプロセスであって、反応が、式：
【化２】
2003509387.tif 000002
［式中、Ｒ’はＨまたはアルキル若しくはアリールであり、Ｚはヒドロカルビルまたはアリール−ヒドロカルビルであり、Ｙは２個以上のアミン基または１個のアミン基及び１個以上のアルコール基を含有するヒドロカルビル単位であり、ｎは１または２である］である、プロセス。
【請求項３４】  エマルションの作製前に水相に少なくとも一種の酸化剤を添加することをさらに含む、請求項１３から３３のいずれかに記載のプロセス。
【請求項３５】  エマルションの作製後に水相に少なくとも一種の酸化剤を添加することをさらに含む、請求項１３から３３のいずれかに記載のプロセス。
【請求項３６】  エマルションの作製前及び作製後のいずれにおいても水相に少なくとも一種の酸化剤を添加することをさらに含む、請求項１３から３３のいずれかに記載のプロセス。
【請求項３７】  エマルションの作製前に水相に少なくとも一種の酸化剤を添加し、且つエマルションの作製後に第二の酸化剤を添加することをさらに含む、請求項１３から３３のいずれかに記載のプロセス。
【請求項３８】  請求項１３の段階（ｃ）において、ジスルフィド結合の形成及び／または縮合と壁形成物質の硬化により壁を形成し、それによって一種以上の農薬を封入する、請求項１３から３７のいずれかに記載のプロセス。
【請求項３９】  エマルションに酸性化剤を添加して、ジスルフィド結合の縮合及び／または形成を実質的に完了させるのに十分な時間、エマルションのｐＨを約０〜約４に維持することをさらに含む、請求項３８に記載のプロセス。
【手続補正書】
【提出日】平成19年5月1日(2007.5.1)
【手続補正１】
【補正対象書類名】明細書
【補正対象項目名】請求項３４
【補正方法】変更
【補正の内容】
【請求項３４】  新生物細胞の末端分化を選択的に誘導し、それによりかかる細胞の増殖を阻害するための医薬の製造における、請求項１〜９いずれかに記載の化合物の使用。
【手続補正２】
【補正対象書類名】明細書
【補正対象項目名】請求項３５
【補正方法】変更
【補正の内容】
【請求項３５】  新生物細胞の増殖により特徴付けられる腫瘍を有する患者の治療のための医薬の製造における、請求項１〜９いずれかに記載の化合物の使用。
【手続補正３】
【補正対象書類名】明細書
【補正対象項目名】請求項５３
【補正方法】変更
【補正の内容】
【請求項５３】  腫瘍中の腫瘍細胞の分化を誘導するための医薬の製造における、請求項１、３６または４３記載の化合物の使用。
【手続補正４】
【補正対象書類名】明細書
【補正対象項目名】請求項５４
【補正方法】変更
【補正の内容】
【請求項５４】  ヒストンデアセチラーゼの活性を阻害するための医薬の製造における、請求項１、３６または４３記載の化合物の使用。
【手続補正書】
【提出日】平成19年8月17日(2007.8.17)
【手続補正１】
【補正対象書類名】明細書
【補正対象項目名】特許請求の範囲
【補正方法】変更
【補正の内容】
【特許請求の範囲】
【請求項１】  患者におけるγ−ヒドロキシブチレートの内因性レベルを調節するための薬学的組成物であって、患者への腸投与または非経口投与のための投薬量処方物を含み、該処方物は、γ−ヒドロキシブチレートを含むポリマーまたはオリゴマーを活性な薬剤として含み、ここで、該ポリマーまたはオリゴマーは、該患者に投与された場合に、代謝されて、有効量の該γ−ヒドロキシブチレートがインビボで放出される、組成物。
【請求項２】  前記ポリマーまたはオリゴマーが、ポリγ−ヒドロキシブチレートである、請求項１に記載の組成物。
【請求項３】  前記ポリマーまたはオリゴマーが、γ−ヒドロキシブチレートを含むコポリマーである、請求項１に記載の組成物。
【請求項４】  前記コポリマーが、第２のヒドロキシアルカノエートモノマーをさらに含む、請求項３に記載の組成物。
【請求項５】  前記コポリマーが、ポリ−β−ヒドロキシブチレート−ｃｏ−γ−ヒドロキシブチレートである、請求項４に記載の組成物。
【請求項６】  前記オリゴマーが、環状オリゴマーである、請求項１に記載の組成物。
【請求項７】  γ−ヒドロキシブチレートモノマーをさらに含む、請求項１〜６のいずれか１項に記載の組成物。
【請求項８】  静脈内投与に適切な処方物の状態の、請求項１〜７のいずれか１項に記載の組成物。
【請求項９】  経口投与に適切な処方物の状態の、請求項１〜７のいずれか１項に記載の組成物。
【請求項１０】  移植に適切な処方物の状態の、請求項１〜７のいずれか１項に記載の組成物。
【請求項１１】  前記ポリマーおよびオリゴマーが、バイオマスから誘導される、請求項１〜１０のいずれか１項に記載の組成物。
【請求項１２】  ナルコレプシー、慢性精神分裂病、緊張型分裂病、非定型性精神病、慢性脳症候群、神経症、アルコール症、薬物嗜癖および離脱症状、梗塞、線維筋痛および慢性疲労症候群、再灌流ならびに炎症からなる群より選択される疾患を有する患者の処置のための投薬量処方物の状態の、請求項１〜１１のいずれか１項に記載の組成物。
【請求項１３】  麻酔、鎮静、成長ホルモン産生、食欲不振効果、多幸感、平滑筋弛緩、筋量産生、高められた性欲、睡眠およびプロラクチン放出からなる群より選択される状態を誘導するための、投薬量処方物の状態の、請求項１〜１１のいずれか１項に記載の組成物。
【請求項１４】  アプサンス発作を生じるのに適切な投薬量処方物の状態の、請求項１〜１１のいずれか１項に記載の組成物。
【請求項１５】  ４時間よりも長く、インビボでγ−ヒドロキシブチレートレベルを上昇させ得る、請求項１〜１４のいずれか１項に記載の組成物。
【請求項１６】  インビボでγ−ヒドロキシブチレートレベルを調節するための薬の製造における、γ−ヒドロキシブチレートを含む、ポリマーまたはオリゴマーの組成物の使用。
【請求項１７】  前記組成物が、ナルコレプシー、慢性精神分裂病、緊張型分裂病、非定型性精神病、慢性脳症候群、神経症、アルコール症、薬物嗜癖および離脱症状、パーキンソン病および他の神経薬理学的病気、高血圧、虚血、循環虚脱、放射線暴露、癌、心筋梗塞、再灌流および炎症からなる群より選択される障害を有する患者を処置するために有効なγ−ヒドロキシブチレートレベルを生じる、請求項１６に記載の使用。
【請求項１８】  前記患者が癌を有し、そして前記組成物が、抗脈管形成有効量のγ−ヒドロキシブチレートの持続放出を提供する、請求項１７に記載の使用。
【請求項１９】  前記組成物が、麻酔、鎮静、成長ホルモン産生、食欲不振効果、多幸感、平滑筋弛緩、筋量産生、高められた性欲および睡眠からなる群より選択される状態を誘導するに有効なγ−ヒドロキシブチレートレベルを生じる、請求項１６に記載の使用。
【請求項２０】  前記組成物が、経口投与または注射もしくは移植による投与のためのものである、請求項１６〜１９のいずれか１項に記載の使用。
【請求項２１】  前記組成物が、催眠薬としての投与のためのものである、請求項１６に記載の使用。
【請求項２２】  前記組成物が、神経伝達物質または神経調節物質としての投与のためのものである、請求項１６に記載の使用。
【請求項２３】  前記組成物が、胃排出を増大させるためまたは吸収不良障害を処置するための投与のためのものであされる、請求項１６に記載の使用。
【請求項２４】  薬学的組成物であって、インビボでのγ−ヒドロキシブチレートの内因性レベルを調節し得るポリマーまたはオリゴマー中に、γ−ヒドロキシブチレートプロドラッグを活性な薬剤として含み、ここで、該γ−ヒドロキシブチレートプロドラッグは、ポリマーまたはオリゴマーの単位である、組成物。
【請求項２５】  前記γ−ヒドロキシブチレートプロドラッグが、オルトエステルである、請求項２４に記載の組成物。
【請求項２６】  前記ポリマーおよびオリゴマーが、γ−ブチロラクトンから誘導される、請求項２４に記載の組成物。
【請求項２７】  前記ポリマーおよびオリゴマーが、γ−ヒドロキシブチレートの徐放または持続放出のために用いられる、請求項２４に記載の組成物。
【請求項２８】  前記ポリマーまたはオリゴマーが、癌を処置するため、または転移を予防するために有用である、請求項１に記載の組成物。
【手続補正書】
【提出日】平成19年8月9日(2007.8.9)
【手続補正１】
【補正対象書類名】明細書
【補正対象項目名】特許請求の範囲
【補正方法】変更
【補正の内容】
【特許請求の範囲】
【請求項１】  構造：
2003509369.tif 000001
［式中、Ａは−ＣＯ−又は−ＣＨＯＨ−であり、ＲはＣＨ3又はＨである、但し、ＲがＣＨ3であるならば、Ａは−ＣＯ−ではなく、化合物がラセミ化合物である場合に、ＲがＨであるならば、Ａは−ＣＯ−ではなく、化合物がラセミ化合物である場合に、ＲがＣＨ3であるならば、Ａは−ＣＨＯＨ−ではなく、化合物がラセミ化合物である場合に、ＲがＨであるならば、Ａは−ＣＨＯＨ−ではない］
の化合物、その立体化学的異性体形及びジアステレオマー、並びにそれらの製薬的に受容される塩及び溶媒和物。
【請求項２】  ＲがＨであり、Ａが−ＣＯ−であり、化合物がＲ−立体配置である、請求項１記載の化合物。
【請求項３】  ＲがＨであり、Ａが−ＣＯ−であり、化合物がＳ−立体配置である、請求項１記載の化合物。
【請求項４】  ＲがＭｅであり、Ａが−ＣＨＯＨ−であり、前記立体化学的異性体形がＲ，Ｒ−、Ｒ，Ｓ−、Ｓ，Ｒ−及びＳ，Ｓ−立体配置から成る群から選択される、請求項１記載の化合物。
【請求項５】  ＲがＨであり、Ａが−ＣＨＯＨ−であり、前記立体化学的異性体形がＲ，Ｒ−、Ｒ，Ｓ−、Ｓ，Ｒ−及びＳ，Ｓ−立体配置から成る群から選択される、請求項１記載の化合物。
【請求項６】  ＲがＨであり、Ａが−ＣＯ−であり、化合物がＲ−又はＳ−立体配置である、請求項１記載の立体化学的活性化合物の合成方法であって、ケトチフェンの対応する立体化学的異性体をそれらの１−（２，２，２−トリクロロエトキシカルボニル）ノル−中間体に転化させ、次にＣｄ／Ｐｂ−触媒により生成物へと開裂させることを含む前記方法。
【請求項７】  呼吸障害、アレルギー性障害、皮膚障害、胃腸障害、及び眼障害から成る群から選択される疾患の予防又は治療用薬剤組成物であって、ラセミ・ノルケトチフェンとその立体化学的異性体、ケトチフェンの立体化学的異性体、ラセミ１０−ヒドロキシ−ケトチフェンとそのＲ，Ｒ−、Ｒ，Ｓ−、Ｓ，Ｒ−及びＳ，Ｓ−異性体、並びにラセミ１０−ヒドロキシ−ノルケトチフェンとそのＲ，Ｒ−、Ｒ，Ｓ−、Ｓ，Ｒ−及びＳ，Ｓ−異性体、又はそれらの製薬的に受容される塩若しくは溶媒和物から成る群から選択される化合物の治療有効量を含む、前記薬剤組成物。
【請求項８】  前記呼吸障害が慢性閉塞性肺疾患（ＣＯＰＤ）、喘息、咳、気管支炎及び気管支過反応から成る群から選択される、請求項７記載の薬剤組成物。
【請求項９】  前記アレルギー性障害がアレルギー性鼻炎、蕁麻疹、アレルギー性結膜炎、及びアレルギー性角膜炎から成る群から選択される、請求項７記載の薬剤組成物。
【請求項１０】  前記皮膚障害がアトピー性皮膚炎、蕁麻疹その他のかゆみ、又は炎症性状態及び乾癬から成る群から選択される、請求項７記載の薬剤組成物。
【請求項１１】  前記胃腸障害がＺｏｌｌｉｎｇｅｒ−Ｅｌｌｉｓｏｎ症候群、胃過敏症、腸炎、胃潰瘍、十二指腸潰瘍、胃逆流、胃酸過多、運動障害及び胸焼けを包含する分泌過多症候群から成る群から選択される、請求項７記載の薬剤組成物。
【請求項１２】  前記眼障害が結膜炎、角膜炎、眼瞼炎、上強膜炎、強膜炎、ブドウ膜炎、神経炎、動脈炎及び交感性眼炎から成る群から選択される、請求項７記載の薬剤組成物。
【請求項１３】  吸入法若しくは経鼻吸入法によって、又は非経口、局所、皮膚、経皮、直腸、舌下、結膜若しくは経口投与によって投与される、請求項７記載の薬剤組成物。
【請求項１４】  経口的に投与される、請求項７記載の薬剤組成物。
【請求項１５】  持続放出製剤として経口的に投与される、請求項７記載の薬剤組成物。
【請求項１６】  局所的に投与される、請求項７記載の薬剤組成物。
【請求項１７】  経皮的に投与される、請求項７記載の薬剤組成物。
【請求項１８】  治療活性化合物の投与量が１日に１回〜４回で投与される約０．５ｍｇ〜約２００ｍｇである、請求項７記載の薬剤組成物。
【請求項１９】  治療活性化合物又はその製薬的に受容される塩若しくは溶媒和物の治療有効量を含む固体、半固体、液体、懸濁液、エーロゾル又は局所若しくは経皮薬剤組成物の形態にあり、製薬的に受容されるキャリヤー又はキャリヤー系をさらに含む、請求項７記載の薬剤組成物。
【請求項２０】  ラセミ・ノルケトチフェン、ラセミ１０−ヒドロキシ−ケトチフェン、ラセミ１０−ヒドロキシ−ノルケトチフェン又はケトチフェン若しくは請求項１記載の化合物の光学活性異性体、あるいはそれらの製薬的に受容される塩若しくは溶媒和物の治療有効量を、アドレナリン作動性アンタゴニスト、鎮痛薬、降圧薬、カルシウム・アンタゴニスト、抗ヒスタミン剤、抗コリン作動薬、抗菌剤、抗ウイルス剤、抗炎症薬、気管支拡張薬、うっ血除去薬、ステロイド、ロイコトリエン・アンタゴニスト、リポキシゲナーゼ阻害剤、局所麻酔薬、血管収縮薬、気管支拡張薬、咳抑制薬、及び去痰薬から成るクラスの１種類以上の薬物と共に含む薬剤組成物。
【手続補正書】
【提出日】平成19年9月10日(2007.9.10)
【手続補正１】
【補正対象書類名】明細書
【補正対象項目名】特許請求の範囲
【補正方法】変更
【補正の内容】
【特許請求の範囲】
【請求項１】  キャビティを規定するハウジングと、混合オーガであって、少なくとも１つの外側混合フィンを有しそして実質的に該オーガの長さにわたって延び且つ該キャビティと液通する内部穴を有する混合オーガと、
該混合オーガの内部穴内に配置されそして該混合オーガの内部穴に対して回転可能な第２オーガと、
を具備し、
該混合オーガは少なくとも部分的に冷凍された飲料を混合して第１の方向へ推し進めるように、そして該第２オーガは飲料を該中空穴の中で第１の方向とは反対の第２の方向へ推し進めるように、構成されている、ことを特徴とする冷凍された飲料を分配する装置。
【請求項２】  該ハウジングが該混合を外から見ることを可能とする透明な部分を有する請求項１に記載の冷凍された飲料を分配する装置。
【請求項３】  該混合オーガを鉛直軸線のまわりで回転させるためのモータを更に具備する請求項１に記載の冷凍された飲料を分配する装置。
【請求項４】  キャビティを規定し、混合を外から見ることを可能とする透明な部分を有するハウジングと、
混合オーガであって、少なくとも１つの外側混合フィンを有しそして実質的に該オーガの長さにわたり延びている内部穴を有する混合オーガと、
を具備し、
少なくとも部分的に冷凍された飲料が該少なくとも１つの外側フィンにより混合されそして該中空穴内に戻るようになっている、冷凍された飲料を分配する装置。
【請求項５】  １）キャビティを規定するハウジングと、２）混合オーガであって、少なくとも１つの外側混合フィンを有しそして実質的に該オーガの長さにわたって延び且つ該キャビティと液通する内部穴を有する混合オーガと、３）該混合オーガの内部穴内に配置された第２オーガと、を具備する装置を用意し、
該キャビティ内で少なくとも部分的に冷凍された飲料を混合し、
該飲料を該キャビティ内で第１の方向に推し進め、
該キャビティから該飲料の所要量を分配し、そして
該内部穴の中で該飲料を第１の方向とは反対の第２の方向に推し進める、
ことを特徴とする冷凍された飲料を混合及び分配する方法。
【請求項６】  少なくとも１つの外側混合フィンで少なくとも１つの部分的に冷凍された飲料を混合する、請求項５に記載の方法。
【請求項７】  第１の方向への飲料の推進を該混合オーガで行なう、請求項５に記載の方法。
【請求項８】  第２の方向への飲料の推進を該第２オーガで行なう、請求項５に記載の方法。
【手続補正書】
【提出日】平成19年4月5日(2007.4.5)
【手続補正１】
【補正対象書類名】明細書
【補正対象項目名】特許請求の範囲
【補正方法】変更
【補正の内容】
【特許請求の範囲】
【請求項１】  二つ又はそれ以上の粘性流体を同時に調合するための多重式調合器において、多重式調合器が、中空な本体と少なくとも二つのピストンと摺動可能なラチェットカップと少なくとも二つのラチェット部材と少なくとも一つの反動部材と保持具と出口オリフィスとを具備していて；
その中空な本体は、頂部と底部と側壁と少なくとも一つのパーティションと分割されていない空間とを有していて、
その少なくとも一つのパーティションは該本体を少なくとも二つのチャンネルに内部において分割していて、該チャンネルは、該本体の該頂部の下側から該本体の該底部の上方に伸長していて、さらに断面形状を有しており、
その分割されていない空間は該チャンネルの下方から該本体の該底部の上方であって；
その少なくとも二つのピストンにおいて、各々の該ピストンは、該チャンネルの一つに配置されていて、そのピストンが配置されている該チャンネルの断面形状に相補形である断面形状を有しており；
その摺動可能なラチェットカップは該本体の該分割されていない空間内部に配置されていて、該ラチェットカップは横断面と底面とラチェットステップとを具備しており、各々の該ラチェットステップが高さを有していて；
その少なくとも二つのラチェット部材において、各々の該ラチェット部材は該ラチェットカップと該ピストンの一つとに連通しており；
その少なくとも一つの反動部材は該ラチェットカップをそのラチェットカップの休止位置に付勢するためのものであって；
その保持具は該ラチェットカップを該本体の該分割されていない空間内部に保持していて；
その出口オリフィスは該本体内部に配置されている；
ところの多重式調合器。
【請求項２】  各々の該チャンネルの断面形状が円形である、請求項１に記載の多重式調合器。
【請求項３】  該摺動可能なラチェットカップの摺動を所定の距離に制限するために、少なくとも一つの止め具をさらに具備している、請求項１に記載の多重式調合器。
【請求項４】  該止め具が、該本体の該側壁に配置された少なくとも一つの一体成形ステップ・インである、請求項３に記載の多重式調合器。
【請求項５】  該所定距離が、該最も背の高いラチェットステップの高さに等しいか又はそれより大きい、請求項３に記載の多重式調合器。
【請求項６】  該ラチェットカップは断面形状を有していて、かつ該本体の該分割されていない空間が断面形状を有しており、該断面形状が相補形である、請求項１に記載の多重式調合器。
【請求項７】  ガイドコラムが該パーティションの底面から下に向けて突出している、請求項１に記載の多重式調合器。
【請求項８】  該ラチェットカップが横断部材を有していて、該横断部材は該ガイドコラムを受け入れるべく配置されているガイドを有している、請求項７に記載の多重式調合器。
【請求項９】  各々の該反動部材が、ばね又はフレキシブルな指状部材又はエラストマー製ボディーである、請求項８に記載の多重式調合器。
【請求項１０】  該反動部材が、該パーティションと該ラチェットカップの該横断部材との間にはめ込まれたばねである、請求項９に記載の多重式調合器。
【請求項１１】  該保持具が、該本体の該底部近傍で、該本体壁の内面に位置する盛り上った突起である、請求項１に記載の多重式調合器。
【請求項１２】  該保持具が一対の制止用突起であって、一方の突起は該ガイドの内面に配置されていて、もう一方の突起は該ガイドコラムに配置されている、請求項８に記載の多重式調合器。
【請求項１３】  各々の該ラチェット部材が、該ピストンの一つにフレキシブルに接触している、請求項１に記載の多重式調合器。
【請求項１４】  該ラチェット部材が、該ピストンの基部に一体成形されている、請求項１３に記載の多重式調合器。
【請求項１５】  各々の該ラチェット部材が、半円錐形状又は指状である、請求項１４に記載の多重式調合器。
【請求項１６】  該ラチェット部材が、該ラチェットカップにフレキシブルに接触している、請求項１に記載の多重式調合器。
【請求項１７】  各々の該ラチェット部材が、半円錐状又は指状である、請求項１６に記載の多重式調合器。
【請求項１８】  該出口オリフィスが、該チャンネルと流体的に連通している、請求項１に記載の多重式調合器。
【請求項１９】  該出口オリフィスが、ダクトにより該チャンネルに接続されている、請求項１８に記載の多重式調合器。
【請求項２０】  該ラチェットカップの一部分をさらすための少なくとも一つのノッチが、該本体の該側壁に配置されている、請求項１に記載の多重式調合器。
【請求項２１】  ノズルをさらに具備している、請求項１に記載の多重式調合器。
【請求項２２】  プラグをさらに具備している、請求項２１に記載の多重式調合器。
【請求項２３】  各々の該チャンネルが断面領域を有していて、該断面領域の大きさの全部が等しいということではない、請求項１に記載の多重式調合器。
【請求項２４】  二つ又はそれ以上の粘性流体を同時に調合する多重式調合器において、多重式調合器が、中空な本体と少なくとも二つのピストンと摺動可能なラチェットカップと少なくとも二つのラチェット部材と少なくとも一つの反動部材と保持具と出口オリフィスとアクチュエータとを具備していて；
その中空な本体は、頂部と底部と側壁と少なくとも一つのパーティションと分割されていない空間とを有していて、
その少なくとも一つのパーティションは該本体を少なくとも二つのチャンネルに内部において分割していて、該チャンネルは、該本体の該頂部の下側から該本体の該底部の上方に伸長していて、さらに断面形状を有しており、
その分割されていない空間は該チャンネルの下方から該本体の該底部の上方であって；
その少なくとも二つのピストンにおいて、各々の該ピストンは、該チャンネルの一つに配置されていて、そのピストンが配置されている該チャンネルの断面形状に相補形である断面形状を有しており；
その摺動可能なラチェットカップは該本体の該分割されていない空間内部に配置されていて、該ラチェットカップは横断面と底面とラチェットステップとを具備しており、各々の該ラチェットステップが高さを有していて；
その少なくとも二つのラチェット部材において、各々の該ラチェット部材は該ラチェットカップと該ピストンの一つとに連通しており；
その少なくとも一つの反動部材は該ラチェットカップをそのラチェットカップの休止位置に付勢するためのものであって；
その保持具は該ラチェットカップを該本体の該分割されていない空間内部に保持していて；
その出口オリフィスは該本体内部に配置されている；
ところの多重式調合器。
【請求項２５】  該アクチュエータが：
該本体の該側壁に回動的に取り付けられた上部区画と；
該上部区画に固定的に取り付けられ、さらに該ラチェットカップの方向に突出し、かつ上面を有している底部区画と；
を具備している、請求項２４に記載の多重式調合器。
【請求項２６】  該アクチュエータが：
該本体の該側壁に回動的に取り付けられていて、支点から該本体の該分割されていない空間を横切って、該本体の該側壁に配置されたスロットの外側に伸長しているレバーを具備している、請求項２４に記載の多重式調合器。